(57)【要約】【課題】遊技盤の前面を覆って開閉可能に取り付けられるガラス扉におけるガラス板の着脱作業を容易化する。【解決手段】ガラス扉の背面側にネジ固定された固定支持枠５２に保護フレームに保護されたガラス板が傾動可能に支持される。保護フレームはガラス板の下部を保護する下部保護フレーム５３と、上部を保護する上部保護フレーム５５とからなり、下部保護フレーム５３がガラス扉の下部に設けられた傾動支持機構（５２ｂ，５３ｂ、５２ｃ，５３ｃ，６１等）により前後傾動可能に支持されて保護フレームに保持されたガラス板を鉛直上方に起立させた起立角度位置と後方に傾斜させた着脱角度位置との間で変移可能に支持し、ガラス扉の上部に設けられた係止保持機構（５６，５７，６４等）により起立角度位置に位置したガラス板が起立角度位置に係止保持される。【選択図】　図８
2004065366.tif 000002
【特許請求の範囲】
【請求項１】
遊技盤を保持する枠部材の前面側に、前後に開口する窓口を有して横開き開閉可能に取り付けられた扉枠とこの扉枠の背面側にガラス保持手段を介して前記窓口を塞ぐように取り付けられたガラス板とを有してなるガラス扉を備え、前記ガラス扉が前記遊技盤の前面を覆うように閉鎖された状態で前記ガラス板を通して前記遊技盤を透視させ遊技を行う遊技機において、
前記ガラス保持手段は、
前記ガラス板の上部周縁と係合して前記ガラス板の上部を保護する上部保護部材と、
前記ガラス板の下部周縁と係合して前記ガラス板の下部を保護する下部保護部材と、
前記扉枠の下部に設けられて前記下部保護部材を前後に傾動可能に支持し、前記下部保護部材に係合保持された前記ガラス板を前記窓口の背面に沿って鉛直上方に起立させた起立角度位置と当該ガラス板の上部を前記窓口の後方に傾斜させた着脱角度位置との間で変移させる傾動支持機構と、
前記扉枠の上部に上下に揺動可能に配設され前記起立角度位置に位置した前記上部保護部材と係脱可能に係合して前記ガラス板の上動を防止するとともに前記ガラス板を前記起立角度位置に係止保持させる係止保持機構と
を備えたことを特徴とする遊技機のガラス保持機構。
【発明の詳細な説明】
【０００１】
【発明の属する技術分野】
本発明は、遊技盤を保持する枠部材の前面側に横開き開閉可能に取り付けられて遊技盤を透視させるガラス扉を備え、このガラス扉が遊技盤の前面を覆うように閉鎖された状態で遊技に供される遊技機に関し、なお詳細には、このようなガラス扉にガラス板を着脱させる際に有用な遊技機のガラス保持機構に関する。
【０００２】
【従来の技術】
上記のようなガラス扉を備えた遊技機として、パチンコ機やアレンジボール機、雀球遊技機などの縦型遊技機がある。例えば、この種の遊技機の代表例として例示されるパチンコ機では、開閉搭載枠たる前枠の正面奥部に所定のゲージ設定で遊技領域が形成された遊技盤がセット保持されており、その前面側に遊技領域を透視保護するガラス扉が設けられている。
【０００３】
ガラス扉は、中央部に開口する窓口を有して外郭方形状に一体成型された扉枠と、この扉枠の背面側にガラス保持手段を介して窓口を塞ぐように取り付けられた前後２枚のガラス板とを主体として構成されており、扉枠および前枠の左側縁に配設されたヒンジ機構で横開き開閉自在に支持されるとともに、互いの右側縁に配設された施錠装置を利用して閉鎖保持可能に取り付けられている。ガラス保持手段としては、扉枠の裏面側に窓口を取り囲むようにねじ固定された金属製のガラス枠が従来から広く用いられている。ガラス枠の左右辺部にはガラス板の外周縁部を支持するガイドレール状の支持溝が前後２列に形成されており、ガラス枠の上方から各支持溝に沿ってガラス板を挿入することでガラス板を保持させるように構成されている。
【０００４】
ところで、ガラス板はパチンコ機の運搬途上における乱雑な取り扱いや振動等による破損を防止するため、パチンコ機の出荷に際してガラス扉から取り外され別梱包して出荷されており、パチンコ機が遊技施設で固定設置された後に扉枠を開放して１枚ずつガラス枠に挿入して組み付けられている。ところが、このようなガラス保持機構では、ガラス板を取り付ける際にガラス板を鉛直に立てた状態でガラス枠の上端位置まで持ち上げ支持し、かつ支持溝に沿って鉛直下方に挿入する必要がある。また、ガラス板を取り外す際も同様にガラス板の鉛直姿勢を維持したまま上方に持ち上げて引き抜く必要がある。特にガラス扉の正面側に位置するガラス板はガラス扉の背面に密接するように配設されるため、ガラス板を挿抜することが容易でなかった。このため、ガラス板の着脱作業が繁雑かつ重労働であるとともに、この作業課程でガラス板を破損させてしまうこともあるという問題があった。
【０００５】
こうした問題を解消しようとする試みの一つに、特開平１０−８０５５５号公報に記載された技術がある。これは、ガラス板の外周縁部を支持するガラス枠を扉枠に対して前後に傾動可能に支持させるとともに、扉枠側に設けた係止フックとガラス枠側に設けた係合ピンとからなる係止手段によってガラス枠を所定の傾動角度位置に係止保持させる一方、ガラス枠にガラス板を装着した後にはガラス枠を鉛直に起立させた状態で、扉枠側に鉛直面内に回動自在に取り付けられた舌片状の施錠具を回動操作して施錠金具の係止片をガラス枠に係合させ、ガラス枠を起立姿勢に固定保持するように構成されている。そしてこのような構成により、扉枠を開放してガラス枠の上部を窓口後方に傾動させた状態で、ガラス板をガラス枠上方から斜め下方に挿入させることで、ガラス板の装着作業を容易化しようとするものである。
【０００６】
【発明が解決しようとする課題】
しかしながら、上記公報に記載された技術では、ガラス枠を傾動させる際にガラス枠またはガラス板の背面側を支えながらガラス枠を傾動させ、かつこのようにガラス枠等を支承したままガラス枠の傾動角度を調整して左右の係止フックと係合ピンとを係合させなければならず、これを怠るとガラス枠全体が後方に転倒してガラス板を破損させてしまうおそれがあるため、作業が繁雑でガラス板の装着作業を十分に容易化できないという問題があった。また、前後に傾動するガラス枠はガラス溝が形成された３本の枠杆を直角に枠組み連結して形成され、ガラス枠が扉枠に閉止固定された状態で扉枠の補強板としての機能を兼用する形態のため、ガラス枠の固定を解除して後方に傾動させた状態でガラス板を装着しようとすると、このときに作用する外力によって扉枠が撓み変形してガラス枠が揺動し、ガラス板の装着作業が円滑に行えないという課題があった。さらに、上記のような形態のガラス保持機構では、ガラス板の上動や傾動を規制して固定保持させるためにガラス枠の周囲に多くの規制金具や施錠金具等を配設する必要があり、ガラス板をガラス枠に挿入する作業単体で容易化が図られても、その前後の工数が増大してガラス板の着脱作業全体での容易化や簡素化が十分に図れないという課題があった。
【０００７】
また、上記公報記載の技術では、ガラス枠を傾動角度位置で係止保持させることでガラス板の挿入方向が斜め方向に変化するものの、ガラス枠上端の高さ位置、すなわち挿入すべきガラス溝の高さ位置が傾動姿勢にあっても殆ど変化しないため、高所位置にあるガラス枠の上端までガラス板を持ち上げ支持して支持溝に係合させるという作業に大差がなく、着脱作業の容易化およびガラス板の破損防止が十分に図れないという課題もあった。
【０００８】
本発明は、上記のような問題および課題に鑑みてなされたものであり、煩雑かつ重労働であるガラス板の着脱作業を容易化して作業性を改善するとともに、当該作業課程におけるガラス板の破損をも低減し得るガラス保持機構を提供することを目的とする。
【０００９】
【課題を解決するための手段】
上記目的を達成するため、本発明は、遊技盤を保持する枠部材の前面側に、前後に開口する窓口を有して横開き開閉可能に取り付けられた扉枠とこの扉枠の背面側にガラス保持手段を介して窓口を塞ぐように取り付けられたガラス板とを有してなるガラス扉を備え、ガラス扉が遊技盤の前面を覆うように閉鎖された状態でガラス板を通して遊技盤を透視させ遊技を行う遊技機のガラス保持機構である。そのうえで、本発明では、ガラス保持手段に、ガラス板の上部周縁と係合してガラス板の上部を保護する上部保護部材（例えば、実施形態における上部保護フレーム５５）と、ガラス板の下部周縁と係合してガラス板の下部を保護する下部保護部材（例えば、実施形態における下部保護フレーム５３）と、扉枠の下部に設けられて下部保護部材を前後に傾動可能に支持し、下部保護部材に係合保持されたガラス板を窓口の背面に沿って鉛直上方に起立させた起立角度位置と当該ガラス板の上部を窓口の後方に傾斜させた着脱角度位置との間で変移させる傾動支持機構（例えば、実施形態における支軸ピン５２ｂ，支軸係合部５３ｂ，傾動規制孔５２ｃ，ローレットネジ６１等からなる傾動支持機構）と、扉枠の上部に上下に揺動可能に配設され起立角度位置に位置した上部保護部材と係脱可能に係合してガラス板の上動を防止するとともにガラス板を起立角度位置に係止保持させる係止保持機構（例えば、実施形態におけるヒンジプレート５６，係止保持プレート５７等からなる係止保持機構）とを備えてガラス保持機構を構成する。
【００１０】
このような構成のガラス保持機構では、ガラス板の外周縁部を保護する保護部材が傾動機構によって前後に傾動可能に支持され、保護部材に係合保持されたガラス板を起立角度位置と着脱角度位置との間で傾動変位可能に構成されている。このため、ガラス枠を傾動させる際にガラス枠等の背面を支承保持していなくてもガラス枠を後方に転倒させてしまうようなおそれがなく、ガラス板の着脱作業を簡明化および容易化して安全に行うことができる。
【００１１】
さらに、本構成のガラス保持機構では、ガラス板の外周縁部を保護する保護部材が上下に分割されてガラス板と係合可能に構成され、このうち下部保護部材が上記傾動機構によって前後に傾動可能に支持されて、下部保護部材に係合保持されたガラス板を起立角度位置と着脱角度位置との間で変位させ得るように構成されている。従って、既に遊技施設に固定設置された遊技機のガラス扉にガラス板を装着する場合のようにガラス扉の上辺部が高所に位置していたとしても、扉枠の下部に支持された下部保護部材を着脱角度位置に傾動させてガラス板を挿入または抜去することで、低い作業位置でガラス板の着脱作業を行うことができ、背の低い作業者や非熟練作業者であっても容易かつ安全にガラス板の着脱作業を行うことができる。
【００１２】
【発明の実施の形態】
以下、本発明に係る遊技機のガラス保持機構について、好適な実施例を挙げて添付図面を参照しながら詳細に説明する。なお本実施例では、前枠の正面奥部に遊技盤が収容保持されたパチンコ機のガラス扉に本発明を適用した場合を主として説明する。
【００１３】
まず、本実施例のパチンコ機ＰＭの概要構成を図１および図２を参照して要約説明する。なお、図１はパチンコ機ＰＭの外観正面図を、図２は後述するガラス扉５および上球皿６を開いた状態におけるパチンコ機の正面図を示している。
【００１４】
パチンコ機ＰＭは外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ部材３ａ，３ｂで横開き開閉および着脱が可能に取り付けられ、正面右側に設けられた施錠装置４を利用して常には外枠１と係合された閉鎖状態に保持される。
【００１５】
前枠２の各部にはパチンコ遊技を展開する遊技展開部材として、前枠２の前側面域に合わせた方形状のガラス扉５および上球皿６が正面左側部に設けられたヒンジ機構７ａ，７ｂ，７ｃを利用して横開き開閉および着脱が可能に組付けられ、上球皿６の下部に下球皿８、操作ハンドル９および打球発射装置１０等が装備されている。前枠２の上方奥部には後方に突出する方形枠状の収容枠２ａが前枠２と一体に形成されており、この収容枠２ａに所定のゲージ設定で構成された遊技盤２０が着脱可能にセット保持され、常には閉鎖保持されるガラス扉５に遊技盤正面の遊技領域ＰＡを臨ませている。
【００１６】
前枠２の裏側には、詳細図示省略するが、球貯留タンクや球払出装置等を有する裏機構盤が遊技盤２０の背面を覆うように横開き開閉および着脱可能に装備されるとともに、裏面各部に主制御基板やターミナル基板、音声基板等の各種基板や電子部品などが取り付けられて各機器がワイヤーハーネスで接続されている。
【００１７】
前枠２の上下中間領域には遊技補助盤と称される補助機構部２ｂが形成されており、発射レール１１やファール球回収経路１２、スピーカ１３などが設けられている。遊技補助盤２ｂの左上部は一部上方に延出されて前後に連通する通出口１４が形成され（図５を参照）、この通出口１４の後方に配設される裏機構盤の球出口と、通出口１４の前方に位置整合して配設される上球皿６の通出樋１５との間を繋いで、球払出装置から払い出された遊技球を通出口１４および通出樋１５を通して上球皿６に排出するように構成されている。なお、ガラス扉５はいわゆるダブル錠と称される施錠装置４により収容枠２ａの前面を覆う閉鎖姿勢にロック保持され、上球皿６はガラス扉５を開放させた状態においてのみ開閉操作可能なロック機構１６により遊技補助盤２ｂの前面を覆う閉鎖姿勢にロック保持される。
【００１８】
パチンコ機ＰＭは、上球皿６およびガラス扉５がともに閉止され施錠された状態で遊技に供され、上球皿６に遊技球を貯留させて操作ハンドル９を回動操作することにより遊技が開始される。操作ハンドル９が回動操作されると、上球皿６に貯留された遊技球が同球皿に内蔵された球送り装置によって１球ずつ発射レール１１上に送り出され、打球発射装置１０のハンマーに打ち出されて発射レール１１および遊技盤２０の案内レールに沿って遊技領域ＰＡに導かれ、以降パチンコゲームが展開される。
【００１９】
以上のように概要構成されるパチンコ機ＰＭにあって、前枠２およびガラス扉５の左側部に、前枠２に対してガラス扉５を開放状態に保持させる扉開放保持機構４０が設けられている。本実施例に開示する扉開放保持機構４０は、図３〜図６の各図に示すように、ガラス扉５の下部に水平面内に揺動可能に支持された係止金具４１を主体としてガラス扉５を開放状態に係止保持させる第１開放保持機構４０ａと、ガラス扉５の背面に垂直面内に揺動可能に支持された固定金具４６を主体としてガラス扉５を開放状態に固定させる第２開放保持機構４０ｂとの二つの開放保持機構を設けた例を示している。
【００２０】
なお、図３から図６の各図について概説すると、図３はガラス扉５を開放した状態で前枠２の前方斜め上方から見た扉開放保持機構４０の分解斜視図、図４は扉開放保持機構４０によりガラス扉５を開放保持させた状態の平面図、図５は扉開放保持機構４０によりガラス扉５を開放保持させた状態の背面図であって扉開放保持機構４０および後述するガラス保持機構５０の各部を部分拡大図として付記する説明図、図６はガラス扉５を閉鎖した状態を示す平断面図である。
【００２１】
扉開放保持機構４０を説明するにあたり、まずガラス扉５について概要構成を説明すると、ガラス扉５は、前後に開口する窓口５１ａを有して外郭方形の枠状に一体成型された樹脂製の扉枠５１と、この扉枠５１の背面側に窓口５１ａの周囲を取り囲むようにねじ固定された薄板板金製の固定支持枠５２（下方枠部５２Ｕ、左方枠部５２Ｌ、右方枠部５２Ｒ）と、上下の保護フレーム５５，５３に外周縁部が保持されて後に詳述するガラス保持機構により前後に傾動可能に支持された前後２枚のガラス板５４，５４などからなり、扉枠５１と前枠２との正面左側に設けられたヒンジ機構７ａ，７ｂにより前枠２に対して横開き開閉および着脱が自在に支持されている。
【００２２】
扉開放保持機構４０における第１開放保持機構４０Ａは、ガラス扉下部の固定支持枠５２（５２Ｕ）に水平旋回可能に支持される係止金具４１を主体として構成される。係止金具４１は、帯板状に細長く形成された保持杆部４１ａと、この保持杆部４１ａの基端側に形成された旋回軸部４１ｂ、保持杆部４１ａの先端側に穿設された係止孔部４１ｃなどからなり、例えば所定板厚の冷間圧延鋼板をプレス加工等により打ち抜き成形して、雄ネジ部および薄肉円盤状の座部からなる旋回軸部４１ｂをカシメ圧着した後、クロメート処理等の所要の表面処理を行って図示する形態に構成される。
【００２３】
固定支持枠５２の下方枠部５２Ｕには、前後のガラス板５４，５４の中間位置（より詳細には下部保護フレーム５３における前後ガラス溝の中間位置）に旋回軸部４１ｂの雄ネジ部外形よりも幾分大きめの内径を有する軸孔が形成されており（図５を参照）、下方枠部５２Ｕの支持面下側から雄ネジ部を挿通させて支持面側からナット４２を螺合させることにより、係止金具４１がガラス扉５の下部に水平旋回可能に取り付けられる。下方枠部５２Ｕの左右中央部には、切り起こし成形により後方に突出する係止フック５２ｆが形成されており、係止金具４１の先端側を下方枠部５２Ｕに沿うように水平旋回させたときに、支持杆部４１ａの下面を支持して下方枠部５２Ｕの下部に係止金具４１を係止保持可能に構成されている（図３及び図６を参照）。これにより、常には係止金具４１が係止フック５２ｆに係止されて下方枠部５２Ｕの下部にコンパクトに格納保持される。
【００２４】
また、通出口１４の上方には、上球皿６に設けられた通出樋１５から針金や金属薄板等を挿入して不正操作が行われることを防止するため、通出口１４の上方および右側方を覆うように前方に突出する庇部１７が形成されており、ガラス扉５を閉鎖したときに庇部１７の前方部分が下方枠部５２Ｕに覆われるようになっている。庇部１７の後方には係止金具の係止孔部４１ｃと係脱可能なピン状の係止突起部１７ａ，１７ｂが突出形成されている。
【００２５】
ここで、係止金具４１における保持杆部４１ａの長さ、及び二つの係止突起部１７ａ，１７ｂの形成位置は、開放保持させようとするガラス扉５の前枠２に対する開放角度に基づいて設定され、例えば、図４中に実線及び二点鎖線で示すように、係止孔部４１ｃを正面右側の係止突起部１７ａに係合させて張り渡したときに、ガラス扉５の開放角度が９０度となり、正面左側の係止突起部１７ｂに係合させて張り渡したときにガラス扉５の開放角度が１１０度（機構上の最大開き角度近傍の角度）となるように設定される。これにより、隣接するパチンコ機に対して順次ガラス板を装着するときや保守作業を行うとき等にはガラス扉を９０度の開放角度に係止保持させ、個別のパチンコ機ごとに釘調整を行うとき等には１１０度の開放角度で係止保持させるなど、作業目的に応じて２段階の開放角度で保持させることができる。なお、開放角度は他の角度に設定してもよく、また三以上設けて多段の角度位置で係止保持可能に構成してもよい。
【００２６】
扉開放保持機構４０における第２開放保持機構４０Ｂは、ガラス扉５の背面に垂直面内に上下揺動可能に支持される固定金具４６を主体として構成される。固定金具４６は、帯板状のアーム部４６ａと、このアーム部４６ａの基端側に板面から垂直に延びてカシメ圧着された円筒状の揺動軸部４６ｂ、アーム部４６ａの先端側が揺動軸部４６ｂと反対方向に直角に折り曲げられて形成された固定片部４６ｃ、この固定片部に下方に開いて形成されたＵ字状のネジ係合溝４６ｄなどからなり、上記係止金具４１と同様の金属材料を用いて同様の加工手段により構成される。
【００２７】
固定金具４６が取り付けられる扉枠５１の背面側には、窓口側部の面材から後方に突出するボス５１ｂが一体に形成され、その後端側の中心部にネジを受容するネジ受容穴が形成されている。ボス５１ｂの突出高さは固定支持枠５２を支持する支持ボスやリブと同一高さに形成される一方、固定支持枠５２における左方枠部５２Ｌにはボス５１ｂの後端面を露出させて揺動軸部４６ｂの前端部を回動自在に嵌合支持する支持孔部５２ｈが形成されている。
【００２８】
また、ガラス扉５の閉鎖姿勢において扉枠５１の背後に位置する前枠２の前端面には、固定金具の固定片部４６ｃを当接支持する固定支持部２ｃが形成され、その中心部にネジ４８を受容するネジ受容穴が形成されている（図５を参照）。
【００２９】
固定金具４６は、揺動軸部４６ｂの前端部を左方枠部５２Ｌに形成された支持孔部５２ｈに嵌合させてボス５１ｂに当接させ、揺動軸部４６ｂの後方からネジ４７を挿通させてボス５１ｂのネジ受容穴に螺合させることにより、ガラス扉５の背面に垂直面内に揺動可能に支持される。
【００３０】
本実施例に示す固定金具４６はガラス扉５を９０度の開放角度で係止保持または固定保持可能に構成されており、アーム部４６ａの長さおよび固定支持部２ｃの形成位置は、ガラス扉５を９０度の開放角度に開放させた状態で、固定金具のアーム部４６ａが水平になるように上方から揺動させたときに、ネジ係合溝４６ｄがネジ４８のネジ軸部と係合し固定片部４６ｃがネジ頭部と固定支持部２ｃとの間に挟持されてガラス扉５を９０度の開放角度に係止保持し、この状態からネジ４８を締め込むと固定片部４６ｃが固定支持部２ｃにねじ固定されてガラス扉５を上記開放角度に固定保持するようになっている。なお、固定金具におけるアーム部４６ａの長さおよびアーム部４６ａに対する固定辺部４６ｃの折り曲げ角度を適宜設定することにより、他の開放角度、例えば前述した１１０度の開放角度でガラス扉５を係止保持ないし固定保持させるように構成することも可能である。
【００３１】
固定金具４６は、例えば図５中に二点鎖線で付記するように、先端の固定片部４６ｃが鉛直下方に位置して左方枠部５２Ｌに沿うように収容され、または先端の固定片部４６ｃが鉛直上方に位置して左方枠部５２Ｌに沿うように収容される。なお、固定支持部２ｃは固定片部４６ｃを当接支持する領域のみが前方に突出するように形成されており、９０度近傍の開放角度位置でアーム部４６ａを揺動させたときに固定片部４６ｃの前後の縁部が固定支持部２ｃ周辺の前枠と当接することなく、ネジ係合溝４６ｃを容易に係合させ得るようになっている。また、固定支持部２ｃを側断面視台形状に形成することにより上記効果をさらに向上させることも可能である。
【００３２】
このように構成される扉開放保持機構４０の作用について、ガラス扉５を９０度の開放角度に開放保持させる場合を例として説明すると、作業者は、合鍵を施錠装置４の錠部に嵌挿して、例えば反時計回りに回動操作することでガラス扉５のロックを解除し、浮き上がるようにして開いたガラス扉の扉枠５１の側縁に指をかけてガラス扉５を９０度近傍の開き角度に開放させる。
【００３３】
次いで、下方枠部５２Ｕの係止フック５２ｆ上に収容保持されている係止金具４１を手前に引き出すように水平旋回させて保持杆部４１ａの先端側を庇部１７上に導き、ガラス扉５の開き角度を微調整しながら保持杆部先端の係止孔部４１ｃを係止突起部１７ａに位置合わせして、これらを係合連結させる。これにより、係止金具４１が下方枠部５２Ｕと庇部１７との間に張り渡されて係止され、ガラス扉５が９０度の開放角度をもって開放状態に保持される。従って、以上のような係止金具４１の係合操作のみによって簡便にガラス扉５を開放状態に係止保持させることができる。
【００３４】
一方、より強固な開放保持を望む場合等には、上記係止金具４１によるガラス扉５の係止保持に加えて固定金具４６によるガラス扉５の係止保持または固定保持を行う。なお、固定金具４６の固定片部４６ｃが鉛直下方に位置して収容されている場合には、９０度を超える開放角度まで一度ガラス扉５を開いて固定金具４６を水平よりも上方の揺動角度位置に待避させておき、この待避状態で係止金具４１によるガラス扉５の係止保持または固定金具４６によるガラス扉５の係止保持作業を行う。これらの作業はいずれを先行して行ってもよいが、ここでは、固定金具４６を上方に待避させた状態で係止金具４１による係止保持を行ったものとして以降説明を続ける。
【００３５】
上述したように、係止金具４１における係止孔部４１ｃを係止突起部１７ａに係合させた状態では、ガラス扉５が既に９０度の開放角度をもって開放状態に保持されている。そこで、作業者は待避姿勢にある固定金具のアーム部４６ａを時計回りに揺動させてアーム部４６ａが水平になるように下動させる。すると、アーム部先端の固定片部４６ｃが固定支持部２ｃの上方から円弧軌跡をもって下動し、ネジ係合溝４６ｄがネジ４８のネジ軸部を受容するように係合して固定片部４６ｃがネジ頭部と固定支持部２ｃの支持面との間に進入し、これらの間に挟持されるように係合する。これにより、ガラス扉５が固定金具４６によって９０度の開放角度に係止保持される。さらに、このような係合状態からネジ４８を締め込むことにより固定片部４６ｃが固定支持部２ｃにねじ固定され、ガラス扉５が上記開放角度で固定保持される。従って、固定金具４６の係合操作によっても前述同様に簡便にガラス扉５を９０度の開放角度で係止保持させることができ、さらに、ネジ４８を閉め込むことでより強固に固定保持させることができる。
【００３６】
また、係止金具４１の揺動方向と固定金具４６の揺動方向とを直行する平面方向に設定しているため、外力に対する抗力を高めた扉開放保持機構を得ることができる。例えば、ガラス扉５の上部のみを前方に傾動させるような外力が作用して係止金具４１における保持杆部４１ａの先端側が浮き上がり、係止孔部４１ｃと係止突起１７ａとの係合が解除されるようなことがあっても、固定金具４６とネジ４８との係合が外れるようなことがなく、開放状態を安定して維持させることができる。
【００３７】
なお、例示した係止金具４１では、旋回軸部４１ｂに円盤状の座部を設けることで係止金具４１と下方枠部５２Ｕとの摺動面積を低減化させて滑らかに水平旋回可能に構成するとともに、ナット４２を前後ガラス溝の壁面間（溝間凹部）に配設してナット４２の緩みを防止しているが、このような座部を設ける代わりにまたは座部とともに、樹脂製のワッシャを雄ネジ部に係合させて保持杆部４１ａと下方枠部５２Ｕとの間に挟持させるように用いてもよい。また、雄ネジとナットとの係合連結に代えて、旋回軸部４１ｂにスリット状の溝を設けてＥリング等を用いて係合連結させ、あるいはリベット等の締結手段を用いて係合連結させてもよい。さらに、係止金具４１を前枠２側に水平旋回可能に支持させ下方枠部５２Ｕ側に係止突起等を設ける構成や、前枠側および下方枠部側双方に係止突起を設けて係止金具を係止させる構成としてもよい。
【００３８】
また、実施例では作図および説明上の便宜から、第１開放保持機構４０Ａと第２開放保持機構４０Ｂの両者をガラス扉５の下部に配設した例を示したが、第１または第２開放保持機構のいずれか一方を設ける構成としてもよく、両者を設ける場合には、第２開放保持機構４０Ｂを第１開放保持機構４０Ａと所定間隔離してガラス扉５の上部に配設し、あるいはガラス扉５の上下に複数設ける構成としてもよい。第１開放保持機構４０Ａと第２開放保持機構４０Ｂとをガラス扉５の上下に分けて配設する構成とすれば、ガラス扉５の上方に偏った外力が作用した場合であってもガラス扉５が捻り変形するようなことがなく、上下バランスよく外力に抗して開放状態を安定的に保持させることができる。また、第２開放保持機構４０Ｂを上下に複数設ける構成とすれば、支持バランスの良好さに加えて、衝撃的な外力に対してもより強固に開放状態を保持させる扉開放保持機構を得ることができる。
【００３９】
さて、以上のように開放保持されるガラス扉５に、ガラス板の着脱作業を容易化したガラス保持機構が設けられている。以下、図７〜図１０の各図を参照しながら第１実施例のガラス保持機構５０について説明する。ここで、図７はガラス板５４及び上部保護フレーム５５を取り外して分離させた状態でガラス保持機構の概要構成を略示する全体図（背面図）、図８はガラス保持機構の主要部を分解状態で示す斜視図、図９および図１０はガラス板を起立角度位置に固定保持させた状態のガラス保持機構の背面図および平面図である。なお、各図ではガラス扉５における扉枠５１の記載を省略しており、既述した図３〜図６を適宜参照しながら説明する。
【００４０】
ガラス保持機構５０は、中央部に前後開口する窓口５１ａを有して外郭方形状に一体成型された扉枠５１の背面側に設けられており、窓口５１ａの周囲を取り囲むように扉枠５１にねじ固定された固定支持枠５２、前後２枚のガラス板５４の下部周縁と係脱可能に係合してガラス板の下部を保護する下部保護フレーム５３、前後２枚のガラス板５４の上部周縁と係脱可能に係合してガラス板の上部を保護する上部保護フレーム５５、扉枠５１の下部に設けられて下部保護フレーム５３を所定の傾動角度範囲で前後に傾動可能に支持する傾動支持機構（支軸ピン５２ｂ，支軸係合部５３ｂ，傾動規制孔５２ｃ，ローレットネジ６１等）、および扉枠５１の上部に設けられて上下の保護フレーム５５，５３に保護されたガラス板５４の上動を防止するとともにガラス板を窓口５１ａの背面に沿って鉛直上方に起立させた起立角度位置に係止保持させる係止保持機構（ヒンジプレート５６，係止保持プレート５７等）などから構成される。
【００４１】
固定支持枠５２は、それぞれＬ字状に曲げ成形されて後方に延びる支持面と扉枠５１の背面に沿って下方または左右の外方に延びる取付面とが形成された下方枠部５２Ｕ、左方枠部５２Ｌおよび右方枠部５２Ｒからなり、各枠部が既述した係止金具と同様の加工手段により部材ごとに図示する形状に板金加工された後、下方枠部５２Ｕの左右側端部に左右枠部５２Ｌ，５２Ｒがスポット溶接やリベット等の接合手段により接合されて上方が開いた枠形状に形成され、窓口５１ａの周囲を取り囲むように扉枠５１の背面にねじ固定される（図３〜図６を併せて参照）。これにより扉枠５１の背面に強固な支持枠が形成され、上下の保護フレーム５５，５３に係合されたガラス板５４が安定に支持されるとともに、上下保護フレームの装着の有無にかかわらず扉枠５１を補強する補強枠としても機能し、ガラス板の着脱時を含めて扉枠５１の撓み変形等が抑制される。なお、保護フレームを支持する支持枠と扉枠を補強する補強枠とを別体として設けてもよい。
【００４２】
下方枠部５２Ｕの支持面には、支持面の一部が切り起こされて上方に突出する左右２カ所の支軸フランジ５２ａが形成され、各支軸フランジ５２ａにそれそれ左右内側に向けて水平に延びる支軸ピン５２ｂが固着されている。左方枠部５２Ｌおよび右方枠部５２Ｒの支持面の下方には、後述する下部保護フレーム５３のネジ受容穴５３ｃに螺合されるローレットネジ６１の揺動軌跡に合わせて支持ピン５２ｂを中心とする円弧状の傾動規制孔５２ｃが形成され、また左右枠部の支持面上端部には後述する係止保持プレート５７の固定片部５７ｃに螺合されるローレットネジ６４の揺動軌跡に合わせて溝底部に向けて先細り形態に切り欠かれた固定支持溝５２ｄが形成されている。
【００４３】
下部保護フレーム５３および上部保護フレーム５５は、前後２枚のガラス板５４をそれぞれ係脱可能に受容支持する前後二列のガラス溝５３ａ，５３ａ、５５ａ，５５ａを有して上下に分割された額縁フレーム状の形態をなし、例えばＡＢＳ樹脂やポリプロピレン、ポリアミドなど比較的軟質の樹脂材料を用いて射出成型等の成形手段により図示する形状に形成される。下部保護フレーム５３および上部保護フレーム５５の外形寸法は、固定支持枠５２における左右枠部５２Ｌ，５２Ｒの支持面の内寸よりもわずかに小さめに形成されている。
【００４４】
前後のガラス溝５３ａ，５３ａ、５５ａ，５５ａは、前後の溝間を所定間隔に保持するスペーサ部を挟んで、それぞれガラス板５４の外周を覆う凹状断面のレール形態に形成されており、前方ガラス溝の前面側および後方ガラス溝の背面側に、それぞれの溝内に収容されたガラス板５４の前面および背面を保護する保護シート面５３ｓ，５３ｔ，５５ｓ，５５ｔが形成されている。このため、前後２枚のガラス板５４，５４がスペーサ部を挟んで所定間隔を保持して平行に支持されるとともに、上下左右の外周縁部全体が保護フレーム５３，５５に包み込まれるように保持され機械的損傷から保護される。
【００４５】
また、前方の保護シート面５３ｓ，５５ｓにおける角部は窓口５１ａの開口部よりも幾分大きめの半径を有するＲ状に形成され、後方の保護シート面５３ｔ，５５ｔおよびスペーサ部の角部が窓口５１ａの開口部よりも外側を通るコーナ枠状に形成されている。このため、前方のガラス溝に支持されたガラス板を窓口５１ａの開口背面に密着させて不正行為可能な隙間を生じさせることなく配設できるとともに、窓口正面側からの視認性を悪化させることなくガラス板５４の支持面積を増大させてガラス板５４が安定支持されるようになっている。スペーサ部が保護フレームの内方に突出成形された結果その外側に形成される凹部（以下、便宜的に「溝間凹部」という）には、前後の溝壁面を繋いで補強用のリブ５３ｄ，５５ｄが適宜な間隔をおいて形成されており、上下保護フレーム５３，５５の捻り変形を抑制している。
【００４６】
下部保護フレーム５３の下辺には、固定支持枠の下方枠部５２Ｕに配接された左右の支軸ピン５２ｂと位置整合してリブ５３ｄが形成され、このリブ５３ｄに支軸ピン５２ｂと係脱可能に係合するＵ字溝状の支軸係合部５３ｂが形成されている。また、下部保護フレーム５３における左右辺の溝間凹部の上方には、固定支持枠の左方枠部５２Ｌおよび右方枠部５２Ｒに形成された傾動規制孔５２ｃと位置整合して円筒状のボスが形成されており、その中心にローレットネジ６１を受容するネジ受容穴５３ｃが形成されている。なお、リブ５３ｄは補強用のリブと独立して設けるものであってもよく、またその形態は壁面形態でなくブロック状であってもよい。
【００４７】
下部保護フレーム５３を下方枠部５２Ｕに取り付ける直前状態を図１１（Ａ）に示し、下部保護フレームを下方枠部５２Ｕに取り付けて起立角度位置に起仰させた状態を図１１（Ｂ）に示すように、下部保護フレーム５３は、この保護フレームを固定支持枠５２内に挿入して左右の支軸係合部５３ｂを支軸ピン５２ｂに係合させ、左右枠部５２Ｌ，５２Ｒの外方から傾動規制孔５２ｃを通してローレットネジ６１をネジ受容穴５３ｃに螺合させることで、ローレットネジ６１が傾動し得る傾動角度範囲内、より具体的には、下部保護フレーム５３に係合保持したガラス板５４を窓口５１ａの背面に沿って鉛直上方に起立させた起立角度位置と、ガラス板５４の上部を窓口５１ａの後方に傾斜させた着脱角度位置との間で傾動変移可能に支持される。
【００４８】
下部保護フレーム５３の下端部では、前方の保護シート面５３ｓが延出されて下方に突出する支持辺部５３ｅが形成されており、下部保護フレーム５３を起立角度位置まで起仰させたときに支持辺部５３ｅが下方枠部５２Ｕの支持面に当接して支持され、上下保護フレーム５３，５５および前後ガラス板５４の荷重が支持片部５３ｅと左右の支軸ピン５２ｂとで支持されるようになっている。また、後方の保護シート面５３ｔは前方の保護シート面よりもさらに下方に延出されて下方に突出する延出辺部５３ｆが形成される一方、下方枠部５２Ｕの支持面は後端側が延出辺部５３ｆの板厚よりも幾分短く形成されており、起立角度位置において延出部５３ｆが支持面の後端部を覆うように下方に延びて配接される。このような下部保護フレーム５３の構成により、窓口５１ａの前面側から下方枠部５２と下部保護フレーム５３との隙間に針金や薄板を挿入して遊技盤２０に悪戯するような不正行為を効果的に防止することができる。なお、同様の延出辺部を上下の保護フレーム５３，５５における左右辺部に設けて構成することにより上記効果をさらに向上させることも可能である。
【００４９】
一方、扉枠５１における窓口５１ａの上部に係止保持機構が設けられている。本実施例に示す係止保持機構は、窓口５１ａの上部に扉枠５１の補強を兼ねてネジ固定されたヒンジプレート５６と、このヒンジプレート５６に上下揺動可能に枢結された係止保持プレート５７とを主体として構成される。ヒンジプレート５６には扉枠５１にネジ固定されたプレート部から下方に突出し、先端がカーリング成形されて中心に軸受孔が形成された固定ヒンジ部５６ｂが左右に所定間隔をおいて２カ所形成されている。
【００５０】
係止保持プレート５７には、左右に延びて形成された平板状のプレート部５７ａ、プレート部５７ａから上記固定ヒンジ部５６ｂの左右形成位置に合わせて前方に突出し、その前端部が固定ヒンジ部５６ｂと同様にカーリング成形されて軸受孔が形成された揺動ヒンジ部５７ｂ、プレート部５７ａの左右端部が先端凸の半円形に成形されるとともに下方に折り曲げられて形成された固定片部５７ｃ、プレート部５７ａから後方に突出しその後端部が下方に折り曲げられて形成された傾動防止片部５７ｄなどからなり、固定支持枠５２と同様の金属材料を用いて同様の加工手段により形成される。
【００５１】
係止保持プレート５７は、左右の揺動ヒンジ部５７ｂを左右の固定ヒンジ部５６ｂの両側方に位置させて、両ヒンジ部の軸受孔が連通するように位置合わせし、揺動ヒンジ部５７ｂの軸受孔に左右外側から枢結ピン６２を挿通させて、固定ヒンジ部５６ｂの内側に突出した枢結ピン６２の先端部にＥリング６３を嵌着させることで、ヒンジプレート５６に上下揺動可能に枢結される。
【００５２】
下部保護フレーム５３および上部保護フレーム５５に係合保持されたガラス板５４（以下、このようにガラス板５４が上下の保護フレーム５５，５３に係合保持された状態の部分組立体を「ガラスアッセンブリ」という）を着脱角度位置から起立角度位置に傾動させる過程と、起立角度位置に位置させて係止保持プレート５７を閉鎖したときの、固定支持枠５２Ｒ、上部保護フレーム５５および固定片部５７ｃの相対位置関係を図１２（Ａ）（Ｂ）に示す。
【００５３】
図９、図１０および図１２の各図に示すように、係止保持プレート５７における固定片部５７ｃの形成位置および幅寸法は、ガラスアッセンブリを起立角度位置に位置させて係止保持プレート５７を上下に揺動させたときに、左右固定片部５７ｃの円弧状先端部が上部保護フレーム５５の溝間凹部の左右側端位置に係脱自在に係合してガラスアッセンブリの前後方向位置および左右位置を位置決めするとともに、固定片部５７ｃに螺合されたローレットネジ６４のネジ軸部が左右枠部５２Ｌ，５２Ｒの固定支持溝５２ｄと係脱自在に係合し、ローレットネジ６４を締め込むことにより上部保護フレーム５５の左右上端部がそれぞれ固定片部５７ｃと左右枠部の支持面との間に挟持固定されるように設定される。
【００５４】
また、左右の傾動防止片部５７ｄは、上記のように係止保持プレート５７を上下揺動させたときに、傾動防止片部５７ｄの先端内面が上部保護フレーム５５後方の保護シート面５５ｔと係脱自在に係合し、ガラスアッセンブリを起立角度位置に係止保持し得るように設定される。なお、図８中に二点鎖線で付記するように、プレート部５７ａから後方に突出する舌片状の操作片部５７ｍを設けることで係止保持プレート５７の揺動操作をさらに容易化することができ、また傾動防止片部５７ｄの下端部を緩く後方に折り曲げ成形して上部保護フレーム５５の上端角部と滑らかに係合するように構成してもよい。
【００５５】
さて、以上のように各部構成されるガラス保持機構５０を利用してガラス板５４を装着し係止保持させる場合について、図１３を参照しながら説明する。なお、図１３はガラス保持機構５０の側断面図であり、前後２枚のガラス板５４を下部保護フレーム５３に装着して起立角度位置に係止保持させるまでの操作手順を図１３（Ａ）（Ｂ）（Ｃ）の順に時系列で並べて示した図面である。
【００５６】
作業者は、前述した扉解放保持機構４０を利用してガラス扉５を例えば９０度の開放角度に固定保持させておく。そして、左方枠部５２Ｌおよび右方枠部５２Ｒ側面のローレットネジ６１を緩めて下部保護フレーム５３の上部を窓口の後方に傾斜させ、傾動規制が作用する着脱角度位置で左右のローレットネジ６１を指締めして下部保護フレーム５３を係止させる。着脱角度位置ではローレットネジ６１のネジ部が傾動規制孔５２ｃの後端に位置して係合するとともに、下方枠部５２Ｕの支持面後端縁部が下部保護フレーム５３の下面に当接して支持するように設定されており、作業者が下部保護フレーム５３を支えていなくても、下部保護フレーム５３が過度に傾動したり、支軸ピン５２ｂと支軸係合部５３ｂとの係合が外れて下部保護フレーム５３が固定支持枠５２から脱落したりすることがないように構成されている。
【００５７】
こうして着脱角度位置に係止された下部保護フレーム５３の前後のガラス溝５３ａ，５３ａに、ガラス板５４，５４を１枚ずつ挿入して下部保護フレーム５３に係合保持させる。下部保護フレーム５３に係合保持されたガラス板５４は、前後の保護シート面５３ｓ，５３ｔおよび中間のスペーサ部に挟持されて前後平行に安定支持され、その上部が斜め上方に延びて配設される。そこで、作業者は上部保護フレーム５５をガラス板５４の上方から覆い被せるように支持し、前後ガラス板５４，５４の上端部にガラス溝５５ａ，５５ａを係合させて上部保護フレーム５５をガラス板に沿って下方にスライド移動させ、上部保護フレーム５５を装着する（図１３（Ａ）→図１３（Ｂ））。これにより、ガラス板５４は前面および背面を含む全外周縁部が上下の保護フレーム５５，５３に包み込まれるように保護され、一体のガラスアッセンブリが形成される。
【００５８】
上下の保護フレーム５５，５３は、比較的軟質の樹脂材料製であるとともに、前後のガラス溝が独立したレール状に形成されているため、ガラス板５４の着脱過程で外周端部を損傷させるようなことがなく、滑らかに装着することができる。また、保護フレームが上下に分割され、かつ下部保護フレーム５３の高さが低く設定されているため、低い作業位置でガラス板５４の着脱作業を行うことができ、背の低い作業者や非熟練作業者であっても容易かつ安全にガラス板の着脱作業を行うことができる。
【００５９】
次に、ガラス装着時の安定作業のため一旦指締め固定していた左右のローレットネジ６１を緩め、係止保持プレート５７を上方に揺動待避させて、ガラスアッセンブリを前方に傾動させ、下部保護フレームの支持辺部５３ｅが下方枠部の支持面に当接支持されてガラス板５４が窓口５１ａの背後に鉛直上方に起立した起立角度位置に位置させる（図１３（Ｂ）→図１３（Ｃ））。そして、上方に待避させていた係止保持プレート５７を枢結ピン６２まわりに下方に揺動させ、上部保護フレーム５５の上部を覆うように閉鎖させる。
【００６０】
このとき、係止保持プレートの固定片部５７ｃに螺合されたローレットネジ６４のネジ軸部が左右枠部５２Ｌ，５２Ｒの固定支持溝５２ｄに進入して係合するとともに、左右の固定片部５７ｃの先端部が上部保護フレーム５５の溝間凹部の左右側端位置に係合し、ガラスアッセンブリを前後方向および左右方向に位置決めする。また、左右の傾動防止片部５７ｄが上部保護フレーム後方の保護シート面５５ｔと係合し、上部保護フレーム５５の背面側を支持する。そこで、作業者が左右のローレットネジ６４を締め込むと、上部保護フレーム５５の左右上端部がそれぞれ固定片部５７ｃと左右枠部５２Ｌ，５２Ｒとの間に挟み込まれるように固定され（図９および図１０を参照）、ガラスアッセンブリが起立角度位置に固定保持されるとともに、ガラス板５４および上部保護フレーム５５の上下移動が規制される。また、左右のローレットネジ６１を締め込むことにより、上記ガラスアッセンブリの固定保持をより強固にすることができる。
【００６１】
こうしてガラスアッセンブリが起立角度位置に固定保持されると、上下保護フレーム５５，５３の外周全域が固定支持枠５２および係止保持プレート５７に取り囲まれるように扉枠５１に固定保持され、扉枠５１の前面側からガラス板５４を上下に移動させようとする押圧力や倒伏させようとする押圧力が作用しても、上記した固定片部５７ｃ、傾動防止片部５７ｄおよびローレットネジ６１等の規制効果により、各方向への押圧力に抗してガラス板５４が係止保持される。このように、本構成では、係止保持プレート５７を下方に揺動させて左右のローレットネジ６４を締め付けるだけで、ガラスアッセンブリを前後左右および上下に位置決めし、かつガラスアッセンブリの上動および前後傾動を規制して固定保持させることができる。
【００６２】
なお、以上ではガラス板５４を一枚ずつ下部保護フレーム５３に装着する場合を説明したが、図７に示すように前後２枚のガラス板５４，５４を予め上部保護フレーム５５のガラス溝５５ａ，５５ａに挿入して係合保持させておき、こうして係合保持された２枚のガラス板を一体的に下部保護フレーム５３のガラス溝に挿入するようにしてもよく、また２枚のガラス板を予め上部保護フレーム５５のガラス溝に接着等してサブアッセンブリ化しておいてもよい。このような構成によれば、遊技機本体に対するガラス板の着脱工数を削減できるとともに、ガラス板の梱包や運搬過程における保護を強化して損傷を低減化させることができる。
【００６３】
従って、以上説明したようなガラス保持機構５０によれば、ガラス板の着脱作業を容易化して背の低い作業者や非熟練作業者であっても容易かつ安全にガラス板の着脱作業を行うことができるとともに、ガラス板の前後面を含む外周縁部全体を覆う保護フレーム構成によりガラス板の損傷を低減させたガラス保持機構を提供することができる。
【００６４】
次に、第２実施例のガラス保持機構７０について、図１４〜図１７の各図を参照しながら説明する。本実施例のガラス保持機構７０は、上述したガラス保持機構５０と係止保持機構（ヒンジプレート５６，係止保持プレート５７等からなる係止保持機構）の構成が異なり、固定支持枠５２や上下の保護フレーム５５，５３、ガラス板５４、傾動支持機構等の構成は略同一であるため、これらの各部については同様の構成部材に同一の番号を付して重複説明を省略し、係止保持機構を中心として詳細説明する。なお、図１４は係止保持機構の要部を分解状態で示す斜視図、図１５および図１６はガラスアッセンブリを起立角度位置に固定保持させた状態における係止保持機構の平面図および背面図、図１７（Ａ）（Ｂ）は係止保持機構による係止を解除してガラスアッセンブリを着脱角度位置から起立角度位置に傾動させる過程（Ａ）と、ガラスアッセンブリを起立角度位置に位置させて係止保持機構により係止させたとき（Ｂ）の各部材の相対位置関係を示す側断面図を示している。
【００６５】
ガラス保持機構７０の係止保持機構は、左方枠部５２Ｌと右方枠部５２Ｒの上端部間を結んで固定される支持シャフト７１と、この支持シャフト７１に軸まわりに回動可能に支持される係止保持ロッド７２とを主体として構成される。
【００６６】
支持シャフト７１は、所定外径を有して左右に延びる支軸部７１ａと、この支軸部７１ａの左右端部が左右枠部５２Ｌ，５２Ｒの支持面間隔に合わせて小径に段落としされて形成されたショルダ部７１ｂ、段落としされたシャフト端の小径部に形成されたネジ部７１ｃ、および係止保持ロッド７２の左右方向長さに合わせて支軸部７１ａに形成されたスナップリング溝（詳細図示省略する）などからなり、例えば、所定線径のみがき鋼棒を旋削、転造等の加工手段により上記各部を形成し、必要に応じて所要の表面処理を施して形成する。
【００６７】
一方、係止保持ロッド７２は、支持シャフト７１の支軸部７１ａの外径よりもわずかに大きめの内径に形成された軸支孔を有して左右に延びる円筒状のロッド部７２ａ、上部保護フレーム５５に形成されたリブ５５ｄの配接位置に合わせてロッド部７２ａから突出形成された固定部７２ｃ、ロッド部７２ａから固定部７２ｃと直行方向する前方に突出したのち下方に屈曲されて下方に延びる傾動防止アーム部７２ｄ、ロッド部７２ａを軸直行方向に貫通して形成された雌ネジ部等を主体として構成され、例えばガラス繊維強化のＡＢＳ樹脂やポリアセタール、ＰＢＴ樹脂等の樹脂材料を射出成型等の成形手段で一体成型し、必要に応じてメタルブッシュをインサートモールドまたは圧入して図示する形態に形成する。
【００６８】
係止保持ロッド７２は、ロッド部中心の軸支孔に支持シャフト７１を挿通させて軸支させ、支軸部７１ａにロッド部７２ａを左右から挟み込むように形成されたスナップリング溝にスナップリング７３，７３を嵌着させることで、支軸部７１ａの左右中央部部にラジアル方向にのみ回動自在に支持される。そして、このように係合連結させた支持シャフト７１を固定支持枠５２における左右枠部５２Ｌ，５２Ｒの支持面上方から下動させ、支持面の上端部に形成されたＵ字状の固定支持溝５２ｄに左右のネジ部７１ｃを支持させて、両端に螺合されたナット７４を締め込むことで、ショルダ部７１ｂとナット７４との間に左右枠部の支持面を挟み込むようにして固定支持枠５２の上部に固定される。
【００６９】
ここで、左右のショルダ部７１ｂ，７１ｂの面間寸法は左右枠部５２Ｌ，５２Ｒの支持面の配接間隔に合わせて形成されているため、上記のように左右のナット７４を締め込んでも左右枠部を変形させることがなく、支持シャフト７１を強固に固定させることができる。また、このように固定された支持シャフト７１は、左方枠部５２Ｌの支持面と右方枠部５２Ｒの支持面とを適正な間隔に保持して連結させ、各支持面に作用する外力に抗して左右枠部を補強する補強杆としても機能する。
【００７０】
こうして支持シャフト７１が固定されると、固定支持枠５２の上部に係止保持ロッド７２が支軸部７１ａの軸まわりに回動自在に支持される。そして、ロッド部７２ａに形成された雌ネジ部にローレットネジ７５を螺合させ、ネジ先端部を支軸部７１ａに当接させて締め込むことで、係止保持ロッド７２を任意の角度位置で係止させることができる。
【００７１】
係止保持ロッド７２における固定部７２ｃは、図１６および図１７に略示するように、ロッド部７２ａと同心の円弧状に形成された押圧部と、この押圧部の左右に押圧部よりも突出して先端凸の半円状に立設された挟持部とからなり、その形成位置および各部寸法は、上部保護フレーム５５に形成されたリブ５５ｄの配接位置に合わせて設定されている。すなわち、ガラスアッセンブリを起立角度位置に位置させて係止保持ロッド７２を閉鎖方向に回動させたときに、下方に揺動される固定部７２ｃの挟持部が下方に位置するリブ５５ｄの上端部を挟み込んで係合するように設定され、押圧部がリブ５５ｄの上端面を下方に押圧して係合するように設定されている。
【００７２】
また、左右の傾動防止アーム部７２ｄは、上記のように係止保持ロッド７２を回動させたときに、傾動防止アーム部７２ｄの先端内面が上部保護フレーム後方の保護シート面５５ｔと係脱自在に係合し、図１７（Ｂ）に示すように係止保持ロッド７２を固定位置に位置させてローレットネジ７５を締め込むことで、ガラスアッセンブリを起立角度位置に係止保持し得るように設定されている。なお、傾動防止アーム部７２ｄの屈曲部には、指かけ容易な操作つまみ部７２ｍが形成されており、係止保持ロッド７２の回動操作を容易に行えるようになっている。
【００７３】
さて、以上のように構成されるガラス保持機構７０を利用してガラス板５４を係止保持させる場合にあって、下部保護フレーム５３の組み付け〜ガラス板５４の装着〜上部保護フレーム５５の装着までの各作業手順は既述したガラス保持機構５０と略同様である（図１３（Ａ）（Ｂ）を参照）。そこで、以下では固定支持枠５２に着脱角度位置に支持されているガラスアッセンブリを、起立角度位置に傾動させて係止保持させるまでのガラス保持機構７０の作用について説明する。
【００７４】
作業者は、まずロッド部７２ａに螺合されているローレットネジ７５を利用して係止保持ロッド７２を図１７（Ａ）に示す待避位置に仮止めし、上記ガラス板等の装着作業を行ったのち、ガラス装着時の安定作業のため指締め固定していた左右のローレットネジ６１を緩めてガラスアッセンブリを前方に傾動させ、ガラス板５４を窓口５１ａの背後に鉛直上方に起立させた起立角度位置に位置させる。そして、ローレットネジ７５を緩めて係止保持ロッド７２を支持シャフト７１の軸まわりに回動させ、上方に待避させていた固定部７２ｃおよび傾動防止アーム部７２ｄを下方に揺動させる。
【００７５】
このとき、左右の固定部７２ｃにおける挟持部が上部保護フレームのリブ５５ｄの上端部を挟み込むようにリブ５５ｄの壁面と係合してガラスアッセンブリを左右方向に位置決めし、押圧部がリブ５５ｄの上端面を下方に押圧するようにリブの上端縁部と係合してガラスアッセンブリを上下方向に位置決めする。また、左右の傾動防止アーム部７２ｄの先端内面が上部保護フレーム後方の保護シート面５５ｔと係合し、上部保護フレーム５５の背面側を支持する。そこで、作業者がロッド部上方のローレットネジ７５を締め込むと、上部保護フレーム５５が左右の固定部７２ｃによって上下左右方向に固定され、傾動防止アーム部７２ｄによって前後方向に固定されて、ガラス板５４および上部保護フレーム５５の上下移動が規制されるとともに、ガラスアッセンブリが起立角度位置に固定保持される。なお、左右のローレットネジ６１を締め込むことにより、上記ガラスアッセンブリの固定保持をより強固にすることができる。
【００７６】
こうしてガラスアッセンブリが起立角度位置に固定保持されると、上下保護フレーム５５，５３の外周全域が固定支持枠５２および係止保持ロッド７２に取り囲まれるように扉枠５１に固定保持され、扉枠５１の前面側からガラス板５４を上下に移動させようとする押圧力や倒伏させようとする押圧力が作用しても、上記した固定部７２ｃ、傾動防止アーム部７２ｄおよびローレットネジ６１等の規制効果により、各方向の押圧力に抗してガラス板５４が係止保持される。このように、本構成では、係止保持ロッド７２を回動させてローレットネジ７５を締め込むだけで、ガラスアッセンブリを前後左右および上下に位置決めし、かつガラスアッセンブリの上動および前後傾動を規制して固定保持させることができる。
【００７７】
従って、以上説明したようなガラス保持機構７０によっても上述したガラス保持機構５０と同様にガラス板の着脱作業を容易化して容易かつ安全にガラス板の着脱作業を行うことができるとともに、ガラス板の損傷を低減させたガラス保持機構を提供することができる。
【００７８】
なお、固定部７２ｃの形態は前述した固定辺部５７ｃと同様の形態とすることもできる。すなわち、ロッド部７２ａから突出する固定部を溝間凹部の溝幅よりも幾分大きめの前後方向幅を有して先端凸の円弧状に形成し、係止保持ロッド７２を閉鎖方向に回動させたときに、左右の固定部の円弧状先端部が溝間凹部に係合してガラスアッセンブリの前後方向位置を位置決めするとともに上方への移動を規制し、同固定部の側面が左右リブ５５ｄの内側壁面または外側壁面と係合してガラスアッセンブリの左右位置を位置決めして、ローレットネジ６４を締め込むことによりガラスアッセンブリを起立角度位置に係止保持するように構成してもよい。
【００７９】
また、実施例では、ローレットネジ７５を締め込むことで、係止保持ロッド７２を任意の角度位置で係止させる例を示したが、例えば、支持シャフトの支軸部７１ａにサラモミ加工等により９０度ピッチで凹部を２カ所設けるとともに、ネジ先端部が丸先またはとがり先のローレットネジを用い、図１７（Ａ）（Ｂ）に示す開放位置と固定位置の二つの角度位置に係止保持ロッド７２を係止させるように構成してもよい。このような構成によれば、これら二つの角度位置に係止保持ロッド７２を強固に係止させることができ、係止保持ロッド７２を回動させる方向に作用する押圧力に対抗する抗力をさらに向上させることができる。
【００８０】
次に、本発明に係る第３実施例のガラス保持機構８０について、図１８および図１９を参照して説明する。本実施例のガラス保持機構８０は、既述したガラス保持機構５０または７０と傾動支持機構の構成が異なり、固定支持枠５２における左右の枠部５２Ｌ，５２Ｒの概要構成や、上下の保護フレーム５５，５３、ガラス板５４、固定支持枠の上部に設けられる固定保持機構等の構成は略同一であるため、これら各部については同様の構成部材に同一の番号を付して重複説明を省略し、傾動支持機構を中心として詳細説明する。なお、図１８は傾動支持機構の要部を分解状態で示す斜視図、図１９　（Ａ）（Ｂ）はガラスアッセンブリを着脱角度位置に位置させたとき（Ａ）と、ガラスアッセンブリを起立角度位置に位置させて係止させたとき（Ｂ）の各部材の位置関係を示す側断面図である。
【００８１】
ガラス保持機構８０における傾動支持機構では、それぞれ窓口５１ａの左側方および右側方に位置して扉枠５１にネジ固定された左方枠部５２Ｌおよび右方枠部５２Ｒと、下部保護フレーム５３を支持する支持プレート８２とが分離され、支持プレート８２が扉枠５１に揺動可能に取り付けられて下部保護フレーム５３とともに前後に揺動変位する形態に構成されている。
【００８２】
傾動支持機構は、扉枠下部の左右に固定されたヒンジ部材８１、左右の固定ヒンジ部材８１に枢結されて下部保護フレーム５３を前後に傾動可能に支持する支持プレート８２、支持プレート８２と下部保護フレーム５３との間を繋いで取り付けられ下部保護プレート５３とともに前後に傾動するリンクプレート８４、左右枠部５２Ｌ，５２Ｒに上下に揺動可能に枢結されてリンクプレート８４の傾動を規制する傾動固定アーム８６等から構成される。
【００８３】
支持プレート８２は、左右に延びて下部保護フレーム５３の底面を支持する支持面部８２ａと、この支持面部８２ａの左右両端部が下方に折り曲げられて形成されたフランジ部８２ｂとからなり、左右の保持枠と同様の金属材料を用いて同様の加工手段により図示する形状に構成される。支持面部８２ａには、下部保護フレーム５３の溝間凹部に形成されたネジ受容穴５３ｈと位置整合してネジ孔８２ｈが穿設され、左右のフランジ部８２ｂにはリベット８３，８５を挿通させるリベット孔が形成されている。支持プレート８２は、左右フランジ部８２ｂ前方のリベット孔にリベット８３を用いてヒンジ部材８１を枢結させ、枢結された左右のヒンジ部材８１を扉枠５１にねじ止めすることで、窓口５１ａの下部に揺動可能に取り付けられる。
【００８４】
リンクプレート８４は、取付姿勢において上下に細長く延びる帯板状に形成されており、その上下両端部にローレットネジ６１を挿通させるネジ孔およびリベット８５を挿通させるリベット孔が形成されている。リンクプレート８４の上下中間部には、プレート面から左右外方に突出する係止ピン８４ｃが圧着固定され、その斜め上方にプレート面一部が曲げ起こされて左右外方に突出する操作つまみ部８４ｍが形成されている。リンクプレート８４はリベット８５により左右のフランジ部８２ｂに前後に揺動可能に枢結される。
【００８５】
傾動固定アーム８６は、取付姿勢において前後に延びる薄片アーム状に形成されており、その前端部にリベット８７を挿通させるリベット孔、後端側に下方にＵ字状に開いてリンクプレートの係止ピン８４ｃと係合可能なピン係止溝８６ｃが形成されている。傾動固定アーム８６の上縁中央部にはアーム部の一部が曲げ起こされて左右外方に突出する操作つまみ部８６ｍが形成されている。傾動固定アーム８６は、リベット８７により左方枠部５２Ｌおよび右方枠部５２Ｒに上下に揺動可能に枢結される。リンクプレート８４および傾動固定アーム８６は、支持プレート８２と同様の金属材料を用いて同様の加工手段により形成される。
【００８６】
本実施例に示す下部保護フレーム５３では、前方の保護シート面５３ｓおよび後方の保護シート面５３ｔが下方に突出成形されずに平坦に形成されており、下部保護フレーム５３の下面が直に支持プレート８２の支持面部８２ａに支持される。そして、支持面部８２ａの下面側からネジ孔８２ｈを通してネジ８８をネジ受容穴５３ｈに螺合締結させることで、下部保護フレーム５３が支持プレート８２に固定される。
【００８７】
また、左右枠部５２Ｌ，５２Ｒには下部保護フレーム５３に形成されたネジ受容穴５３ｃの揺動軌跡に整合する傾動規制孔５２ｃ′が形成されている。すなわち、下部保護フレーム５３ｃは支持プレート８２とともにリベット８３の枢結軸まわりに前後に傾動するため、傾動規制孔５２ｃ′はネジ受容穴５３ｃの揺動軌跡に合わせてリベット８３の枢結軸を中心とする円弧状に形成されている。そこで、上記のようにネジ固定された下部保護フレームのネジ受容穴５３ｃに、リンクプレート８４のネジ孔および左右枠部の傾動規制孔５２ｃ′を通してローレットネジ６１を螺合させることで、ローレットネジ６１が傾動し得る傾動角度範囲内、具体的には、下部保護フレーム５３に係合保持したガラス板５４を窓口５１ａの背面に沿って鉛直上方に起立させた起立角度位置と、ガラス板５４の上部を窓口５１ａの後方に傾斜させた着脱角度位置との間で、下部保護フレーム５３が傾動変移可能に支持される。
【００８８】
なお、左方枠部５２Ｌおよび右方枠部５２Ｒの下端部は、リベット８３を中心として揺動される支持プレート８２の揺動軌跡に合わせて形成されており、前方の角部は斜めに切り落とされて逃げ面５２ｓが形成されている。このため、当該左右枠部５２Ｌ，５２Ｒの下端縁部と下部保護フレームの支持面８２ａとの関係においても、下部保護フレーム５３が上記起立角度位置と着脱角度位置との間で傾動変位可能に支持される。
【００８９】
さて、以上のように構成されるガラス保持機構８０を利用してガラス板５４を係止保持させる場合の傾動支持機構の作用について概要説明すると、作業者はまず左右のローレットネジ６１を緩め、リンクプレート８４の操作つまみ部８４ｍに指をかけて後方に引き出し、下部保護フレーム５３および支持プレート８２を傾動させて図１９（Ａ）に示すように傾動規制が作用する着脱角度位置に位置させ、ここで左右のローレットネジ６１を指締めして下部保護フレーム５３を着脱角度位置に係止させる。着脱角度位置ではローレットネジ６１のネジ部が傾動規制孔５２ｃ′の後端に位置して係合するとともに、支持プレートの支持面部８２ａが左右枠部の逃げ面５２ｓに当接して支持される。このため、作業者が下部保護フレーム５３を支えていなくても、下部保護フレーム５３が着脱角度位置を超えて過度に傾動することがない。
【００９０】
こうして着脱角度位置に係止された下部保護フレーム５３に前後のガラス板５４を装着して係合保持させ、上方から覆い被せるようにして上部保護フレーム５５を装着する（図１３（Ａ）→図１３（Ｂ）を参照）。これにより、ガラス板５４は前面および背面を含む全外周縁部が上下の保護フレーム５５，５３に包み込まれるように保護され、一体のガラスアッセンブリが形成される。
【００９１】
次に、指締め固定していた左右のローレットネジ６１を緩めてガラスアッセンブリを前方に傾動させ、ガラス板５４が窓口５１ａの背後に鉛直上方に起立する起立角度位置に位置させる。そして、既述した係止保持機構（係止保持プレート５７または係止保持ロッド７２等）を利用して上部保護フレーム５５を固定する。これにより、ガラス板５４および上部保護フレーム５５の上動が規制されるとともにガラスアッセンブリが起立角度位置に固定保持される。
【００９２】
そして、左右枠部に枢結された傾動固定アーム８６の操作つまみ部８６ｍを利用して傾動固定アーム８６を下方に揺動させ、先端のピン係止溝８６ｃをリンクプレートの係止ピン８４ｃに係合させる。これにより、リンクプレート８４の前後方向への揺動が規制され、下部保護フレーム５３の傾動が規制されることによって本傾動支持機構部においてもガラスアッセンブリが起立角度位置に固定保持される。なお、左右のローレットネジ６１を締め込むことにより、この起立角度位置での固定保持をさらに強固にすることができる。
【００９３】
こうしてガラスアッセンブリが起立角度位置に固定保持されると、上下保護フレーム５５，５３の外周全域が、支持プレート８２、左右固定支持枠５２Ｌ，５２Ｒおよび係止保持部材（係止保持プレート５７または係止保持ロット７２）に取り囲まれるように扉枠５１に固定保持され、扉枠５１の前面側からガラス板５４を上下に移動させようとする押圧力や倒伏させようとする押圧力が作用しても押圧力に抗してガラス板５４が強固に係止保持される。
【００９４】
従って、以上説明したようなガラス保持機構８０によっても既述したガラス保持機構５０，７０と同様にガラス板の着脱作業を容易化して容易かつ安全にガラス板の着脱作業を行うことができるとともに、ガラス板の損傷を低減させたガラス保持機構を提供することができる。
【００９５】
なお、以上各実施例においては、パチンコ機のガラス扉に本発明のガラス保持機構を適用した場合について説明したが、本発明はパチンコ機に限られるものではなく、ガラス板を透視して遊技を行う遊技機、例えばアレンジボール機や、いわゆる雀球遊技機、アーケードゲーム機などに対しても同様に適用し同様の効果を得ることができる。
【００９６】
【発明の効果】
以上説明したように、本発明は、遊技盤の前面側に横開き開閉可能に取り付けられたガラス扉に、ガラス保持手段を介してガラス板が取り付けられる遊技機にあって、本発明のガラス保持手段は、ガラス板の上部周縁と係合してガラス板の上部を保護する上部保護部材と、ガラス板の下部周縁と係合してガラス板の下部を保護する下部保護部材と、扉枠の下部に設けられて下部保護部材を前後に傾動可能に支持し、下部保護部材に係合保持されたガラス板を窓口の背面に沿って鉛直上方に起立させた起立角度位置と当該ガラス板の上部を窓口の後方に傾斜させた着脱角度位置との間で変移させる傾動支持機構と、扉枠の上部に上下に揺動可能に配設され起立角度位置に位置した上部保護部材と係脱可能に係合してガラス板の上動を防止するとともにガラス板を起立角度位置に係止保持させる係止保持機構とを備えてガラス保持機構を構成する。
【００９７】
このように本発明のガラス保持機構では、ガラス板を保護する保護部材が傾動機構によって前後に傾動可能に支持され、保護部材に係合保持されたガラス板が起立角度位置と着脱角度位置との間の傾動角度範囲内で変位可能に構成されている。このため、ガラス枠を傾動させる際にガラス枠を後方に転倒させてしまうようなおそれがなく、ガラス板の着脱作業を簡明化および容易化して安全に行うことができる。さらに、本構成のガラス保持機構では、ガラス板の保護部材が上下に分割されて下部保護部材が上記傾動機構によって前後に傾動可能に支持されているため、遊技機が遊技施設に固定設置されてガラス扉の上辺部が高所に位置していても、扉枠の下部に支持された下部保護部材を着脱角度位置に傾動させてガラス板を挿入または抜去することで、低い作業位置でガラス板の着脱作業を行うことができ、ガラス板の着脱作業を容易化して作業性を改善するとともに、当該作業過程におけるガラス板の破損を低減させて安全性および生産性を向上させたガラス保持機構を提供することができる。
【図面の簡単な説明】
【図１】本発明に係るガラス保持機構を備えた遊技機の一例として示すパチンコ機の正面図である。
【図２】ガラス扉と上球皿とを開放した状態のパチンコ機の正面図である。
【図３】ガラス扉を開放した状態で前枠の前方斜め上方から見た扉開放保持機構の分解斜視図である。
【図４】ガラス扉を開放保持させた状態の扉開放保持機構の平面図である。
【図５】ガラス扉を開放保持させた状態の扉開放保持機構の背面図である。
【図６】ガラス扉を閉鎖した状態のパチンコ機の平断面図である。
【図７】ガラス板および上部保護フレームを取り外して分離させた状態で第１実施例のガラス保持機構の概要構成を略示する全体図（背面図）である。
【図８】第１実施例のガラス保持機構の主要部を分解状態で示す斜視図である。
【図９】第１実施例のガラス保持機構における係止保持機構の背面図である。
【図１０】第１実施例のガラス保持機構における係止保持機構の平面図である。
【図１１】第１実施例のガラス保持機構における傾動支持機構の作用を示す説明図であって、　（Ａ）図は下部保護フレームを下方枠部に取り付ける直前状態の傾動支持機構の側断面図、（Ｂ）図は下部保護フレームを下方枠部に取り付けて起立角度位置に起仰させた状態の傾動支持機構の側断面図である。
【図１２】第１実施例のガラス保持機構における係止保持機構の作用を示す説明図であって、　（Ａ）図はガラスアッセンブリを着脱角度位置から起立角度位置に傾動させる過程を示す側断面図、（Ｂ）図はガラスアッセンブリを起立角度位置に位置させて係止保持プレートを閉鎖したときの側断面図である。
【図１３】第１実施例のガラス保持機構の作用を示す側断面図であり、ガラス板を装着して起立角度位置に係止保持させるまでの操作手順を　（Ａ）（Ｂ）（Ｃ）図の順に時系列で示す説明図である。
【図１４】第２実施例のガラス保持機構における係止保持機構の要部を分解状態で示す斜視図である。
【図１５】第２実施例のガラス保持機構における係止保持機構の平面図である。
【図１６】第２実施例のガラス保持機構における係止保持機構の背面図である。
【図１７】第２実施例のガラス保持機構における係止保持機構の作用を示す説明図であって、（Ａ）図はガラスアッセンブリを着脱角度位置から起立角度位置に傾動させる過程を示す側断面図、（Ｂ）図はガラスアッセンブリを起立角度位置に位置させて係止保持プレートを閉鎖したときの側断面図である。
【図１８】第３実施例のガラス保持機構における傾動支持機構の要部を分解状態で示す斜視図である。
【図１９】第３実施例のガラス保持機構における傾動支持機構の作用を示す側断面図であって、（Ａ）図はガラスアッセンブリを着脱角度位置に位置させたときの傾動支持機構の側断面図、（Ｂ）図はガラスアッセンブリを起立角度位置に位置させて係止させたときの傾動支持機構の側断面図である。
【符号の説明】
ＰＡ　遊技領域
ＰＭ　パチンコ機
１　外枠
２　前枠（２ａ　収容枠、２ｂ　遊技補助盤、２ｃ　）
３ａ，３ｂ　ヒンジ部材
４　施錠装置
５　ガラス扉
６　上球皿
７　ヒンジ機構（７ａ　上部ヒンジ機構、７ｂ　中間ヒンジ機構、７ｃ　下部ヒンジ機構）
８　下球皿
９　操作ハンドル
１０　打球発射装置
１１　発射レール
１２　ファール球回収経路
１３　スピーカ
１４　通出口
１５　通出樋
１６　ロック機構
１７　庇部（１７ａ，１７ｂ　開放保持突起）
２０　遊技盤
４０　扉開放保持機構（４０Ａ　第１開放保持機構、４０Ｂ　第２開放保持機構）
４１　係止金具（４１ａ　保持杆部、４１ｂ　旋回軸部、４１ｃ　係止孔部）
４２　ナット
４６　固定金具（４６ａ　アーム部、４６ｂ　揺動軸部、４６ｃ　係合溝部）
４７　ネジ
４８　ネジ
５０　ガラス保持機構（第１実施例）
５１　扉枠（５１ａ　窓口、５１ｂ　ボス）
５２　固定支持枠（５２Ｕ　下方枠部、５２Ｌ　左方枠部、５２Ｒ　右方枠部、
５２ａ　支軸フランジ、５２ｂ　支軸ピン、５２ｃ，５２ｃ′　傾動規制孔、５２ｄ　固定支持溝、５２ｆ　係止フック、５２ｈ　支持孔部、５２ｓ　逃げ面）
５３　下部保護フレーム（５３ａ　ガラス溝、５３ｂ　支軸係合部、５３ｃ　ネジ受容穴、５３ｄ　リブ、５３ｅ　支持辺部、５３ｆ　延出辺部、５３ｈ　ネジ受容穴、５３ｓ　前方の保護シート面、５３ｔ　後方の保護シート面）
５４　ガラス板
５５　上部保護フレーム（５５ａ　ガラス溝、５５ｂ　固定片係合部、５５ｄ　リブ、５５ｓ　前方の保護シート面、５５ｔ　後方の保護シート面）
５６　ヒンジプレート（５６ａ　プレート部、５６ｂ　固定ヒンジ部）
５７　係止保持プレート（５７ａ　プレート部、５７ｂ　揺動ヒンジ部、５７ｃ固定片部、５７ｄ　傾動防止片部、５７ｍ　操作片部）
６１　ローレットネジ
６２　枢結ピン
６３　Ｅリング
６４　ローレットネジ
７０　ガラス保持機構（第２実施例）
７１　支持シャフト（７１ａ　支軸部、７１ｂ　ショルダ部、７１ｃ　ネジ部）
７２　係止保持ロッド（７２ａ　ロッド部、７２ｃ　固定部、７２ｄ　傾動防止アーム部、７２ｍ　操作つまみ部）
７３　スナップリング
７４　ナット
７５　ローレットネジ
８０　ガラス保持機構（第３実施例）
８１　ヒンジ部材
８２　支持プレート（８２ａ　支持面部、８２ｂ　フランジ部、８２ｈ　ネジ孔）
８３　リベット
８４　リンクプレート（８４ｃ　係止ピン、８４ｍ操作つまみ部）
８５　リベット
８６　傾動固定アーム（８６ｃ　ピン係止溝、８６ｍ操作つまみ部）
８７　リベット
８８　ネジ
【図１】
2004065366.tif 000003
【図２】
2004065366.tif 000004
【図３】
2004065366.tif 000005
【図４】
2004065366.tif 000006
【図５】
2004065366.tif 000007
【図６】
2004065366.tif 000008
【図７】
2004065366.tif 000009
【図８】
2004065366.tif 000010
【図９】
2004065366.tif 000011
【図１０】
2004065366.tif 000012
【図１１】
2004065366.tif 000013
【図１２】
2004065366.tif 000014
【図１３】
2004065366.tif 000015
【図１４】
2004065366.tif 000016
【図１５】
2004065366.tif 000017
【図１６】
2004065366.tif 000018
【図１７】
2004065366.tif 000019
【図１８】
2004065366.tif 000020
【図１９】
2004065366.tif 000021